(57)【要約】【課題】上部ケースと下部ケースとが重ね合わされた上面全体にそれよりも広い面で圧力が加わっても、各ケースの破損を防ぐ。【解決手段】上部ケース１と下部ケース２とがヒンジ部３で開閉可能に連結されて互いに重なり合った状態で閉じる電子辞書において、上部ケース１と下部ケース２との各隅部に、上下の各ケース１、２が重なり合ったときに互いに対応して当接する複数の金属製の補強部材６、７をそれぞれ上下に貫通させて設けた。従って、上部ケース１と下部ケース２とを重ね合わせた状態で、上面全体にそれよりも広い面で圧力が加わった際、上下の各ケース１、２の各補強部材６、７によって外部からの圧力を分散させて受け止めることができる。このため、外部からの圧力が上下の各ケース１、２に直接加わらないので、各ケース１、２が歪んだり破損したりせず、良好に保護することができる。【選択図】        図３
2005011095.tif 000002
【特許請求の範囲】
【請求項１】
上部ケースと下部ケースとがヒンジ部によって開閉可能に連結されて互いに重なり合った状態で閉じる電子機器において、
前記上部ケースと前記下部ケースとの各隅部に、前記上部ケースと前記下部ケースとが重なり合ったときに互いに対応して当接する複数の金属製の補強部材を、前記上部ケースと前記下部ケースとにそれぞれ貫通させて設けたことを特徴とする電子機器。
【請求項２】
前記上部ケースと前記下部ケースとのうち、少なくとも上部ケースの外面には、ブリッジ状の金属プレートが前記補強部材に保持された状態で設けられていることを特徴とする請求項１に記載の電子機器。
【請求項３】
上部ケースと下部ケースとがヒンジ部によって開閉可能に連結されて互いに重なり合った状態で閉じる電子機器において、
前記上部ケースと前記下部ケースとの各周縁部に、前記上部ケースと前記下部ケースとが重なり合ったときに互いに対応して当接する断面コ字形状の金属製の補強部材を、前記ヒンジ部に対応する個所を除いて嵌め込んだことを特徴とする電子機器。
【発明の詳細な説明】
【０００１】
【発明の属する技術分野】
この発明は、電子辞書や携帯電話機などの折畳可能な電子機器に関する。
【０００２】
【従来の技術】
従来、折畳式の携帯電話機においては、キー入力部および表示部を有する機器本体にカバーをヒンジ部によって開閉可能に連結し、このカバーの内面に、機器本体のキー入力部および表示部に対応する個所を除いて、スペーサとして機能する凸部を設け、この凸部によってカバーの剛性を高めた構造のものがある（例えば、特許文献１参照。）。
【０００３】
【特許文献１】
特許第３０３１４５６号（Ｐ３０３１４５６）
【０００４】
【発明が解決しようとする課題】
しかしながら、この特許文献１の携帯電話機では、機器本体にカバーを重ねて閉じた状態で、カバー全体に外部から大きな圧力が加わると、カバー全体が歪んで、カバーが機器本体に当接することにより、カバーや機器本体が破損したり、あるいは機器本体のキー入力部および表示部が破損したりするなどの問題がある。
【０００５】
この発明の課題は、上部ケースと下部ケースとを重ね合わせた状態で、その上面よりも広い面で圧力が加わっても、その圧力によって各ケースが歪んだり破損したりしないようにすることである。
【０００６】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図５、図８、図９に示すように、上部ケース（１、３０）と下部ケース（２、３１）とがヒンジ部（３、３２）によって開閉可能に連結されて互いに重なり合った状態で閉じる電子機器において、前記上部ケースと前記下部ケースとの各隅部に、前記上部ケースと前記下部ケースとが重なり合ったときに互いに対応して当接する複数の金属製の補強部材（６、７）を、前記上部ケースと前記下部ケースとにそれぞれ貫通させて設けたことを特徴とする電子機器である。
【０００７】
この発明によれば、上部ケースと下部ケースとを重ね合わせて閉じると、上部ケースと下部ケースとの各隅部にそれぞれ貫通して設けられた複数の金属製の補強部材が互いに対応して当接するので、この状態で上面全体にそれよりも広い面で外部から圧力が加わった場合、複数の補強部材によって外部からの圧力を分散して受け止めることができる。このため、外部からの圧力が上部ケースおよび下部ケースに直接加わることがないので、上部ケースおよび下部ケースが歪んだり破損したりせず、各ケースを良好に保護することができる。
【０００８】
請求項２に記載の発明は、図４および図５に示すように、前記上部ケース（１）と前記下部ケース（２）とのうち、少なくとも上部ケースの外面に、ブリッジ状の金属プレート（１５、１６）が前記補強部材（６、７）に保持された状態で設けられていることを特徴とする請求項１に記載の電子機器である。
この発明によれば、請求項１に記載の発明と同様の作用効果があるほか、特に上部ケースと下部ケースとを重ね合わせて、上部ケースの外面に設けられたブリッジ状の金属プレートを上面側に位置させ、この状態で金属プレートの上面全体にそれよりも広い面で圧力が加わっても、また部分的に圧力が加わっても、ブリッジ状の金属プレートによって外部からの圧力を受け止めることができると共に、その圧力を複数の補強部材に分散させることができる。このため、金属プレートによって少なくとも上部ケースを保護することができると共に、外部からの圧力が上部ケースおよび下部ケースに直接加わることがないので、上部ケースおよび下部ケースが歪んだり破損したりせず、より一層、確実に各ケースを保護することができる。
【０００９】
請求項３に記載の発明は、図６および図７に示すように、上部ケース（１）と下部ケース（２）とがヒンジ部（３）によって開閉可能に連結されて互いに重なり合った状態で閉じる電子機器において、前記上部ケースと前記下部ケースとの各周縁部に、前記上部ケースと前記下部ケースとが重なり合ったときに互いに対応して当接する断面コ字形状の金属製の補強部材（２０、２１）を、前記ヒンジ部に対応する個所を除いて嵌め込んだことを特徴とする電子機器である。
この発明によれば、上部ケースと下部ケースとを重ね合わせて閉じると、上部ケースと下部ケースとの各周縁部に設けられた金属製の補強部材が互いに対応して当接するので、請求項１に記載の発明と同様、この状態で上面全体にそれよりも広い面で圧力が加わった場合、金属製の補強部材によって外部からの圧力を受け止めることができる。このため、外部からの圧力が上部ケースおよび下部ケースに直接加わることがないので、上部ケースおよび下部ケースが歪んだり破損したりせず、各ケースを良好に保護することができる。
【００１０】
【発明の実施の形態】
［第１実施形態］
以下、図１〜図３を参照して、この発明の電子機器を電子辞書に適用した第１実施形態について説明する。
図１はこの発明の電子辞書の使用状態における斜視図、図２はその電子辞書を閉じた状態の平面図、図３は図２のＡ−Ａ矢視における要部の拡大断面図である。
この電子辞書は、上部ケース１と下部ケース２とをヒンジ部３によって回動可能に連結し、この状態でヒンジ部３を中心に上部ケース１と下部ケース２とを相対的に回動させて閉じると、上部ケース１と下部ケース２とが互いに重なり合うように構成されている。
【００１１】
この場合、下部ケース２に対向する上部ケース１の内面には、図１に示すように、表示部４が設けられている。この表示部４は、液晶表示素子やＥＬ表示素子（エレクトロルミネッセンス表示素子）などの平面型の表示素子からなり、電気光学的に情報を表示するように構成されている。また、この上部ケース１に対向する下部ケース２の内面には、図１に示すように、キー入力部５が設けられている。このキー入力部５は、文字キー、カーソルキー、ファンクションキーなどの辞書機能に必要な各種のキーを備え、これら各キーの上面が下部ケース２の内面（図１では上面）から少し突出して設けられた構成になっている。
【００１２】
また、上部ケース１および下部ケース２の各四隅には、図１〜図３に示すように、複数の金属製の補強部材６、７がそれぞれ設けられている。これら複数の補強部材６、７は、図３に示すように、それぞれ剛性の高い金属からなり、円柱部８の上端と下端とにそれぞれ平板部９が一体に形成された構造になっている。この場合、複数の補強部材６、７のうち、上部ケース１の四隅に位置する４つの補強部材６は、図３に示すように、それぞれ各円柱部８が上部ケース１の四隅に埋め込まれ、この状態で各平板部９がそれぞれ上部ケース１の内面（図３では下面）および外面（同図では上面）に露出した状態で設けられている。
【００１３】
また、下部ケース２の四隅に位置する４つの補強部材７は、上部ケース１の補強部材６と同様、それぞれ各円柱部８が下部ケース２の四隅に埋め込まれ、この状態で各平板部９がそれぞれ下部ケース２の内面（図３では上面）および外面（同図では下面）に露出した状態で設けられている。そして、上部ケース１の各補強部材６と下部ケース２の各補強部材７とは、図３に示すように、上部ケース１と下部ケース２とが重なり合って閉じたときに、上部ケース１と下部ケース２の各内面に露出した各平板部９が互いに対向して当接することにより、上下に対応する各円柱部８の中心軸がほぼ一致するように構成されている。
【００１４】
この場合、上部ケース１の内面に露出した補強部材６の平板部９と下部ケース２の内面に露出した補強部材７の平板部９とは、円柱部８同士がその中心軸をほぼ一致させて対応した状態で互いに当接することにより、下部ケース２に設けられたキー入力部５の各キーが上部ケース１の内面および表示部４に接触しないように、上部ケース１の内面と下部ケース２の内面との間に所定の隙間Ｓを形成するように構成されている。
【００１５】
このような電子辞書では、ヒンジ部３を中心に上部ケース１と下部ケース２とを相対的に回動させて開くと、図１に示すように、上部ケース１の表示部４と下部ケース２のキー入力部５とが露呈するので、表示部４に表示された情報を見ながらキー入力部５をキー操作することができ、これにより電子辞書として良好に使用することができる。また、使用しないときには、ヒンジ部３を中心に上部ケース１と下部ケースとを相対的に回動させて閉じると、図２および図３に示すように、上部ケース１と下部ケース２とが互いに重なり合うので、機器全体がコンパクトになり、これにより良好に携帯することができる。
【００１６】
この場合、上部ケース１と下部ケース２とが重ね合わされると、図３に示すように、上部ケース１と下部ケース２との各四隅に設けられた金属製の補強部材６、７の各平板部９が互いに対応して当接するので、互いに当接した２つの平板部９の厚みによって、下部ケース２に設けられたキー入力部５の各キーが上部ケース１の内面および表示部４に接触しないように、上部ケース１の内面（図３では下面）と下部ケース２の内面（同図では上面）との間に所定の隙間Ｓを確実に保つことができる。
【００１７】
この状態で、図３に示すように、下部ケース２を下にして卓上などの載置面１０に載置し、上部ケース１の上方からその上面よりも広い面積で圧力が加わった場合には、上部ケース１と下部ケース２との各四隅にそれぞれ設けられた金属製の補強部材６、７の各円柱部８同士がその中心軸をほぼ一致させた状態で対応しているので、この対応した複数の補強部材６、７によって外部からの圧力を分散して受け止めることができる。このため、外部からの圧力が上部ケース１および下部ケース２に直接加わることがないので、上部ケース１および下部ケース２が歪むことがない。これにより、上部ケース１の表示部４および下部ケース２のキー入力部５が相互に当接して破損することがないばかりか、上部ケース１および下部ケース２の破損をも防ぐことができ、これにより各ケース１、２を良好に保護することができる。
【００１８】
［第２実施形態］
次に、図４および図５を参照して、この発明を電子辞書に適用した第２実施形態について説明する。なお、図１〜図３に示された第１実施形態と同一部分には同一符号を付して説明する。
この電子辞書は、上部ケース１と下部ケース２との両方の各外面に、ブリッジ状の金属プレート１５、１６をそれぞれ設けた構造で、これ以外は第１実施形態と同じ構造になっている。
【００１９】
すなわち、上部ケース１の外面に配置される金属プレート１５は、図４および図５に示すように、その中央部が上部ケース１の外面（図４では上面）から離れる上方向に向けて凸となる凸形状に形成され、上部ケース１の外面と対応する四隅に補強部材６の平板部９が嵌合する嵌合凹部１５ａがそれぞれ形成され、これら嵌合凹部１５ａに補強部材６の平板部９が嵌合して保持されるように構成されている。この場合、各嵌合凹部１５ａは、その深さが補強部材６の平板部９よりも少し浅く形成され、これにより補強部材６の平板部９が嵌合しても金属プレート１５が上部ケース１の外面に直接接触しないように構成されている。
【００２０】
また、下部ケース２の外面に配置される金属プレート１６は、図４および図５に示すように、その中央部が下部ケース２の外面（図４では下面）から離れる下方向に向けて凸となる凸形状に形成され、下部ケース２の外面と対応する四隅に補強部材７の平板部９が嵌合する嵌合凹部１６ａがそれぞれ形成され、これら嵌合凹部１６ａに補強部材７の平板部９が嵌合して保持されるように構成されている。この場合にも、各嵌合凹部１６ａは、その深さが補強部材７の平板部９よりも少し浅く形成され、これにより補強部材７の平板部９が嵌合しても金属プレート１６が下部ケース２の外面に直接接触しないように構成されている。
【００２１】
このような電子辞書では、第１実施形態と同様の作用効果があるほか、特に上部ケース１と下部ケース２とを重ね合わせて閉じた上、図４および図５に示すように、上部ケース１の外面（図５では上面）に設けられたブリッジ状の金属プレート１５を上側にし、下部ケース２の金属プレート１６を卓上などの載置面１０に載置し、この状態で上側の金属プレート１５に、その上面にそれよりも広い面で圧力が加わっても、また図４に示すように、その圧力が上側の金属プレート１５の上面に部分的に加わっても、上下の各金属プレート１５、１６が変形しないため、これら各金属プレート１５、１６によって上下の各ケース１、２を保護することができる。
【００２２】
また、このときには、各金属プレート１５、１６の各嵌合凹部１５ａ、１６ａが上下の各補強部材６、７の各平板部９に嵌合した状態で、各金属プレート１５、１６が各補強部材６、７に保持されているので、各金属プレート１５、１６に加わった圧力を複数の補強部材６、７に分散させることができる。このため、第１実施形態と同様、外部からの圧力が上部ケース１および下部ケース２に直接加わることがないので、上部ケース１および下部ケース２が歪んだり破損したりせず、各ケース１、２を確実に保護することができる。
【００２３】
［第３実施形態］
次に、図６および図７を参照して、この発明を電子辞書に適用した第３実施形態について説明する。この場合にも、図１〜図３に示された第１実施形態と同一部分には同一符号を付して説明する。
この電子辞書は、上部ケース１と下部ケース２との各周縁部に金属製の補強部材２０、２１をヒンジ部３に対応する個所を除いて連続させて設けた構造で、これ以外は第１実施形態とほぼ同じ構造になっている。
【００２４】
すなわち、上部ケース１の補強部材２０は、図７に示すように、上部ケース１の周縁部の上面から側面に亘って設けられた上部補強片２２と、上部ケース１の周縁部の下面から側面に亘って設けられた下部補強片２３とからなり、これら上部補強片２２の下端部と下部補強片２３の上端部とが上部ケース１の側面において互いに当接するように構成されている。これにより、補強部材２０は、その全体が断面コ字形状に形成され、ヒンジ部３に対応する縁部を除いて、上部ケース１の手前側および左右両側の各縁部に連続して嵌め込まれている。この場合、上部ケース１の周縁部には、補強部材２０の肉厚よりも浅い凹部２４が設けられており、これにより補強部材２０は、上部ケース１の上面側および下面側に少し突出した状態で上部ケース１の縁部に設けられている。
【００２５】
また、下部ケース２の補強部材２１も、上述した上部ケース１の補強部材２０と同様、下部ケース２の周縁部の上面から側面に亘って設けられた上部補強片２５と、下部ケース２の周縁部の下面から側面に亘って設けられた下部補強片２６とからなり、これら上部補強片２５の下端部と下部補強片２６の上端部とが下部ケース２の側面において互いに当接するように構成されている。これにより、補強部材２１も、その全体が断面コ字形状に形成され、ヒンジ部３に対応する縁部を除いて、下部ケース２の手前側および左右両側の各縁部に連続して嵌め込まれている。この場合にも、下部ケース２の周縁部には、補強部材２１の肉厚よりも浅い凹部２７が設けられており、これにより補強部材２１は、下部ケース２の上面側および下面側に少し突出した状態で下部ケース２の縁部に設けられている。
【００２６】
この場合、上部ケース１の補強部材２０と下部ケース２の補強部材２１とは、図７に示すように、上部ケース１と下部ケース２とが互いに重なり合って閉じた状態のときに、上部ケース１と下部ケース２とが互いに対向する面、つまり上部ケースの下面に位置する下部補強片２３と、下部ケース２の上面に位置する上部補強片２５とが互いに対応して当接し、これにより下部ケース２に設けられたキー入力部５の各キーが上部ケース１の内面および表示部４に接触しないように、上部ケース１の下面と下部ケース２の上面との間に所定の隙間Ｓを形成するように構成されている。
【００２７】
このような電子辞書においても、第１実施形態とほぼ同様の効果があるほか、特に上部ケース１と下部ケース２とを重ね合わせると、図７に示すように、上部ケース１と下部ケース２との各周縁部に嵌め込まれた金属製の補強部材２０、２１の下部補強片２３と上部補強片２５とが互いに対応して当接するので、下部ケース２に設けられたキー入力部５の各キーが上部ケース１の内面および表示部４に接触しないように、上部ケース１の内面と下部ケース２の内面との間に所定の隙間Ｓを確実に保つことができる。
【００２８】
この状態で、図７に示すように、下部ケース２を下にして卓上などの載置面１０に載置し、上部ケース１の上面全体にそれよりも広い面で圧力が加わった場合には、上部ケース１と下部ケース２との各周縁部にそれぞれ嵌め込まれた金属製の補強部材２０、２１によって外部からの圧力を受け止めることができる。このため、第１実施形態と同様、外部からの圧力が上部ケース１および下部ケース２に直接加わることがないので、上部ケース１および下部ケース２が歪むことがない。これにより、上部ケース１の表示部４および下部ケース２のキー入力部５が相互に当接して破損することがないばかりか、上部ケース１および下部ケース２の破損をも防ぐことができる。
【００２９】
また、この電子辞書では、上部ケース１と下部ケース２との各周縁部に補強部材２０、２１を嵌め込んだ構造であるから、第１実施形態のように補強部材６、７を各ケース１、２の四隅に埋め込む必要がないため、上部ケース１および下部ケース２内に組み込まれる電子部品が制約を受けることがなく、これにより実装構造が容易で、その自由度も高く、しかも上部ケース１と下部ケース２との各周縁部に補強部材２０、２１を連続して設けているので、外観的にもデザイン的にも、好ましいものを得ることができる。
【００３０】
なお、上記第３実施形態では、上部ケース１と下部ケース２との各周縁部に補強部材２０、２１を連続させて設けた場合について述べたが、必ずしも補強部材２０、２１を連続させて設ける必要はなく、上部ケース１と下部ケース２との各周縁部に補強部材２０、２１を部分的に設けた構造でも良い。
【００３１】
［第４実施形態］
次に、図８および図９を参照して、この発明を携帯電話機に適用した第４実施形態について説明する。この場合にも、図１〜図３に示された第１実施形態と同一部分には同一符号を付して説明する。
この携帯電話機は、縦長の長方形状の上部ケース３０とこれとほぼ同じ形状の下部ケース３１とをヒンジ部３２によって回動可能に連結し、この状態でヒンジ部３２を中心に上部ケース３０と下部ケース３１とを相対的に回動させて閉じると、上部ケース３０と下部ケース３１とが互いに重なり合うように構成されている。
【００３２】
この場合にも、上部ケース３０の内面には、図８に示すように、液晶表示素子やＥＬ表示素子（エレクトロルミネッセンス表示素子）などの平面型の表示素子からなる表示部４が設けられており、この上部ケース３０におけるヒンジ部３３と反対側に位置する端部には、アンテナ３４が出没可能に設けられている。また、下部ケース３１の内面には、図８に示すように、ダイヤルキー、カーソルキー、ファンクションキーなどの電話機能に必要な各種のキーを備えたキー入力部５が設けられている。また、上部ケース３０および下部ケース３１の各四隅には、第１実施形態と同様、金属製の補強部材６、７がそれぞれ設けられている。
【００３３】
この補強部材６、７は、第１実施形態と同様、それぞれ剛性の高い金属からなり、円柱部８の上端と下端とにそれぞれ平板部９が一体に形成された構造になっている。この場合にも、上部ケース３０の内面に露出した補強部材６の平板部９と下部ケース２の内面に露出した補強部材７の平板部９とは、円柱部８同士がその中心軸をほぼ一致させた状態で互いに対応して当接することにより、下部ケース３１に設けられたキー入力部５の各キーが上部ケース３０の内面および表示部４に接触しないように、上部ケース３０の内面と下部ケース３１の内面との間に所定の隙間Ｓを形成するように構成されている。
【００３４】
このような携帯電話機では、ヒンジ部３２を中心に上部ケース３０と下部ケース３１とを相対的に回動させて開くと、図８に示すように、上部ケース３０の表示部４と下部ケース３１のキー入力部５とが露呈するので、表示部４に表示された情報を見ながらキー入力部５をキー操作することができ、これにより携帯電話機として良好に使用することができる。また、使用しないときには、ヒンジ部３２を中心に上部ケース３０と下部ケースとを相対的に回動させて閉じると、図９に示すように、上部ケース３０と下部ケース３１とが互いに重なり合うので、機器全体がコンパクトになり、これにより良好に携帯することができる。
【００３５】
この場合、図９に示すように、上部ケース３０と下部ケース３１とが重ね合わされると、上部ケース３０と下部ケース３１との各四隅に設けられた金属製の補強部材６、７の各平板部９が互いに対応して当接するので、第１実施形態と同様、互いに当接した２つの平板部９の厚みによって、下部ケース３１に設けられたキー入力部５の各キーが上部ケース３０の内面および表示部４に接触しないように、上部ケース３０の内面（図９では上面）と下部ケース３１の内面（同図では下面）との間に所定の隙間Ｓを確実に保つことができる。
【００３６】
この状態で、図９に示すように、下部ケース３１を下にして卓上などの載置面１０に載置し、上部ケース３０の上面全体にそれよりも広い面で圧力が加わった場合には、上部ケース３０と下部ケース３１との各四隅にそれぞれ設けられた金属製の補強部材６、７の各円柱部８同士が対応しているので、この対応した複数の補強部材６、７によって外部からの圧力を分散して受け止めることができる。このため、第１実施形態と同様、外部からの圧力が上部ケース３０および下部ケース３１に直接加わることがないので、上部ケース３０および下部ケース３１が歪むことがない。これにより、上部ケース３０の表示部４および下部ケース３１のキー入力部５が相互に当接して破損することないばかりか、上部ケース３０および下部ケース３１の破損をも防ぐことができ、これにより各ケース３０、３１を良好に保護することができる。
【００３７】
なお、上記第４実施形態では、上部ケース３０と下部ケース３１との各四隅に金属製の補強部材６、７を設けた場合について述べたが、これに限らず、例えば図４および図５に示した第２実施形態のように、上部ケース３０と下ケース３１との各外面に金属プレート１５、１６を各補強部材６、７に保持させた状態でそれぞれ設けた構造でも良く、また図６および図８に示した第３実施形態のように、上部ケース３０と下ケース３１との各縁部に断面コ字形状の金属製の補強部材２０、２１をヒンジ部３２側を除いて嵌め込んだ構造でも良い。このようないずれの構造においても、第２、第３実施形態と同様の作用効果がある。
【００３８】
また、上記第１〜第４実施形態では、電子辞書または携帯電話機に適用した場合について述べたが、これに限らず、例えば電子手帳やＰＤＡ（パーソナル・デジタル・アイスタント）などの折畳式の電子機器にも広く適用することができる。
【００３９】
【発明の効果】
以上説明したように、請求項１に記載の発明によれば、上部ケースと下部ケースとがヒンジ部によって開閉可能に連結されて互いに重なり合った状態で閉じる電子機器において、上部ケースと下部ケースとの各隅部に、上部ケースと下部ケースとが重なり合ったときに互いに対応して当接する複数の金属製の補強部材を上部ケースと下部ケースとにそれぞれ貫通させて設けたので、上部ケースと下部ケースとを重ね合わせた状態で、上部ケースと下部ケースとの各隅部にそれぞれ貫通して設けられた複数の金属製の補強部材が互いに対応して当接するので、この状態で上面全体にそれよりも広い面で外部から圧力が加わった場合、複数の補強部材によって外部からの圧力を分散して受け止めることができる。このため、外部からの圧力が上部ケースおよび下部ケースに直接加わることがないので、上部ケースおよび下部ケースが歪んだり破損したりせず、各ケースを良好に保護することができる。
【００４０】
この場合、上部ケースと下部ケースとのうち、少なくとも上部ケースの外面に、ブリッジ状の金属プレートを補強部材に保持させた状態で設けたことにより、上部ケースと下部ケースとを重ね合わせて、上部ケースの外面に設けられたブリッジ状の金属プレートを上面側に位置させ、この状態で金属プレートの上面全体にそれよりも広い面で圧力が加わっても、また部分的に圧力が加わっても、ブリッジ状の金属プレートによって外部からの圧力を受け止めることができると共に、その圧力を複数の補強部材に分散させることができる。このため、金属プレートによって少なくとも上部ケースを保護することができると共に、外部からの圧力が上部ケースおよび下部ケースに直接加わることがないので、上部ケースおよび下部ケースが歪んだり破損したりせず、より一層、確実に各ケースを保護することができる。
【００４１】
また、請求項３に記載の発明によれば、上部ケースと下部ケースとがヒンジ部によって開閉可能に連結されて互いに重なり合った状態で閉じる電子機器において、上部ケースと下部ケースとの各周縁部に、上部ケースと下部ケースとが重なり合ったときに互いに対応して当接する断面コ字形状の金属製の補強部材を、ヒンジ部に対応する個所を除いて嵌め込んだので、上部ケースと下部ケースとを重ね合わせると、上部ケースと下部ケースとの各周縁部に嵌め込まれた金属製の補強部材が互いに対応して当接するので、この状態で上面全体にそれよりも広い面で圧力が加わった場合、金属製の補強部材によって外部からの圧力を受け止めることができる。このため、外部からの圧力が上部ケースおよび下部ケースに直接加わることがないので、上部ケースおよび下部ケースが歪んだり破損したりせず、各ケースを良好に保護することができる。
【図面の簡単な説明】
【図１】この発明を電子辞書に適用した第１実施形態において上部ケースと下部ケースとを開いた状態の外観斜視図。
【図２】図１の電子辞書を閉じた状態の平面図。
【図３】図２のＡ−Ａ矢視における要部の拡大断面図。
【図４】この発明を電子辞書に適用した第２実施形態において上部ケースと下部ケースとを閉じた状態の斜視図。
【図５】図４の分解斜視図。
【図６】この発明を電子辞書に適用した第３実施形態において上部ケースと下部ケースとを閉じた状態の斜視図。
【図７】図６のＢ−Ｂ矢視における要部の拡大断面図。
【図８】この発明を携帯電話機に適用した第４実施形態において上部ケースと下部ケースとを開いた状態の外観斜視図。
【図９】図８の携帯電話機を閉じた状態において要部を示した側面図。
【符号の説明】
１、３０  上部ケース
２、３１  下部ケース
３、３２  ヒンジ部
４  表示部
５  キー入力部
６、７、２０、２１  補強部材
８  円柱部
９  平板部
１０  載置面
１５、１６  金属プレート
１５ａ、１６ａ  嵌合凹部
【図１】
2005011095.tif 000003
【図２】
2005011095.tif 000004
【図３】
2005011095.tif 000005
【図４】
2005011095.tif 000006
【図５】
2005011095.tif 000007
【図６】
2005011095.tif 000008
【図７】
2005011095.tif 000009
【図８】
2005011095.tif 000010
【図９】
2005011095.tif 000011